(57)【要約】【課題】  簡易な構成で、ホットランナを取り外して交換することなく成形品の色替えを容易に行うことができる射出成形ホットランナ金型の色替え装置を提供する。【解決手段】  金型への溶融樹脂の供給通路を備えた射出成形ホットランナ金型の色替え装置であって、成形色毎の専用ホットランナ１，２とそれらに連通するスプル１１ａ，１２ａ及びノズル１１ｂ，１１ｃ，１２ｂ，１２ｃを設けた分割型ホットランナブロック３と、分割型ホットランナブロック３と合体している金型４を分割型ホットランナブロック３と共に移動させる移動手段５と、移動手段５により分割型ホットランナブロック３のスプル１１ａ，１２ａのいずれかを、溶融樹脂を射出する射出ノズル６に対向する位置まで移動させた状態で金型４を位置決めする位置決め手段７を備えた。【選択図】        図１
2007062085.tif 000002
【特許請求の範囲】
【請求項１】
金型への溶融樹脂の供給通路を備えた射出成形ホットランナ金型の色替え方法であって、成形色毎の専用ホットランナを設けたホットランナブロックと合体している金型を、ホットランナブロックと共に移動させる金型移動工程と、この金型移動工程によりホットランナブロックのスプルのいずれかを、溶融樹脂を射出する射出ノズルに対向する位置まで移動させた状態で金型を位置決めする金型位置決め工程からなることを特徴とする射出成形ホットランナ金型の色替え方法。
【請求項２】
金型への溶融樹脂の供給通路を備えた射出成形ホットランナ金型の色替え装置であって、成形色毎の専用ホットランナとそれらに連通するスプル及びノズルを設けたホットランナブロックと、このホットランナブロックと合体している金型をホットランナブロックと共に移動させる移動手段と、この移動手段によりホットランナブロックのスプルのいずれかを、溶融樹脂を射出する射出ノズルに対向する位置まで移動させた状態で金型を位置決めする位置決め手段を備えたことを特徴とする射出成形ホットランナ金型の色替え装置。
【請求項３】
前記ホットランナブロックは、複数のホットランナを有する一体型ホットランナブロックである請求項２記載の射出成形ホットランナ金型の色替え装置。
【請求項４】
前記ホットランナブロックは、別体で形成した１つのホットランナを有するホットランナブロックを、所定の間隔を保ちつつ並設して構成した分割型ホットランナブロックである請求項２記載の射出成形ホットランナ金型の色替え装置。
【請求項５】
前記ホットランナブロックに形成されるスプルの間隔は、任意に設定可能である請求項２、３又は４記載の射出成形ホットランナ金型の色替え装置。
【発明の詳細な説明】
【技術分野】
【０００１】
本発明は、金型への溶融樹脂の供給通路となるホットランナを備えた射出成形ホットランナ金型の色替え方法及びその装置に関する。
【背景技術】
【０００２】
従来、射出装置から金型へ溶融樹脂を供給する通路となるホットランナを備えた射出成形機において、成形品の色替えを行うための装置としては、複数のホットランナを並設した状態で支持する支持手段と、この支持手段の回動中心軸を回動させる回動手段と、ホットランナの先端部を進退させる進退手段を具備するホットランナ交換装置が知られている（例えば、特許文献１参照）。
【０００３】
また、成形品の色替えを行う射出成形機としては、外部から供給された樹脂を溶融し、溶融させた樹脂を成形型内に射出する可塑化部を２基以上備え、少なくとも１基の可塑化部は外部から供給された樹脂を成形型内に供給する作業位置に保持され、他の可塑化部は作業位置から離れて待機するスタンバイ位置に保持され、各可塑化部はスタンバイ位置から作業位置に、或いは作業位置からスタンバイ位置に切替えて配置するものが知られている（例えば、特許文献２参照）。
【０００４】
【特許文献１】特開平５−６４８２８号公報
【特許文献２】特開２００１−２７７２８３号公報
【発明の開示】
【発明が解決しようとする課題】
【０００５】
しかし、特許文献１に記載されたホットランナ交換装置においては、複数のホットランナを並設した状態で支持する支持手段や、この支持手段の回動中心軸を回動させる回動手段などを必要とし、装置が複雑で大規模になるという問題がある。
また、特許文献２に記載された射出成形機においても、可塑化部を２基以上備える必要があり、設備が大規模になるという問題がある。
【０００６】
本発明は、従来の技術が有するこのような問題点に鑑みてなされたものであり、その目的とするところは、簡易な構成で、ホットランナを取り外して交換することなく成形品の色替えを容易に行うことができる射出成形ホットランナ金型の色替え方法及びその装置を提供しようとするものである。
【課題を解決するための手段】
【０００７】
上記課題を解決すべく請求項１に係る発明は、金型への溶融樹脂の供給通路を備えた射出成形ホットランナ金型の色替え方法であって、成形色毎の専用ホットランナを設けたホットランナブロックと合体している金型を、ホットランナブロックと共に移動させる金型移動工程と、この金型移動工程によりホットランナブロックのスプルのいずれかを、溶融樹脂を射出する射出ノズルに対向する位置まで移動させた状態で金型を位置決めする金型位置決め工程からなるものである。
【０００８】
請求項２に係る発明は、金型への溶融樹脂の供給通路を備えた射出成形ホットランナ金型の色替え装置であって、成形色毎の専用ホットランナとそれらに連通するスプル及びノズルを設けたホットランナブロックと、このホットランナブロックと合体している金型をホットランナブロックと共に移動させる移動手段と、この移動手段によりホットランナブロックのスプルのいずれかを、溶融樹脂を射出する射出ノズルに対向する位置まで移動させた状態で金型を位置決めする位置決め手段を備えたものである。
【０００９】
請求項３に係る発明は、請求項２記載の射出成形ホットランナ色替え装置において、前記ホットランナブロックを、複数のホットランナを有する一体型ホットランナブロックとした。
【００１０】
請求項４に係る発明は、請求項２記載の射出成形ホットランナ色替え装置において、前記ホットランナブロックを、別体で形成した１つのホットランナを有するホットランナブロックを、所定の間隔を保ちつつ並設して構成する分割型ホットランナブロックとした。
【００１１】
請求項５に係る発明は、請求項２、３又は４記載の射出成形ホットランナ色替え装置において、前記ホットランナブロックに形成されるスプルの間隔を、任意に設定可能にした。
【発明の効果】
【００１２】
請求項１に係る発明によれば、ホットランナブロックと合体している金型をホットランナブロックと共に移動させ、所望な色のスプルが、溶融樹脂を射出する射出ノズルと対向する位置になるよう金型を位置決めするだけで成形品の色替えを容易に行うことができる。
【００１３】
請求項２に係る発明によれば、移動手段によりホットランナブロックと合体している金型をホットランナブロックと共に移動させ、位置決め手段により所望な色のスプルが、溶融樹脂を射出する射出ノズルに対向する位置になるよう金型を位置決めするだけで成形品の色替えを容易に行うことができる。
【００１４】
請求項３に係る発明によれば、ホットランナブロックを、金型に合わせてコンパクトに形成することができる。
【００１５】
請求項４に係る発明によれば、別体で形成した１つのホットランナを有するホットランナブロックが互いに所定の間隔を保って配置されるので、使用していないホットランナブロックに熱が伝わり難くいため、使用していないホットランナブロックから焦げた樹脂が出てくることがない。
【００１６】
請求項５に係る発明によれば、ホットランナブロックに形成されるスプルの間隔を任意に設定できるので、金型位置変更の作業時間を短くすることができる。
【発明を実施するための最良の形態】
【００１７】
以下に本発明の実施の形態を添付図面に基づいて説明する。ここで、図１は本発明に係る射出成形ホットランナ金型の色替え装置の概要正面図、図２は同じく概要平断面図、図３は分割型ホットランナブロックの正面図、図４は一体型ホットランナブロックの正面図、図５は分割型ホットランナブロックと合体している金型の概要斜視図、図６は作用説明図である。
【００１８】
本発明に係る射出成形ホットランナ金型の色替え装置は、図１及び図２に示すように、独立した２つのランナ１，２を設けた横置きの分割型ホットランナブロック３と、分割型ホットランナブロック３と合体している金型４を分割型ホットランナブロック３と共に移動させる移動手段５と、移動手段５により分割型ホットランナブロック３のスプル１１ａ，１２ａのいずれかを、溶融樹脂を射出する射出ノズル６に対向する位置まで移動させた状態で金型４を位置決めする位置決め手段７を備えている。なお、射出ノズル６の設置位置は固定されている。
【００１９】
分割型ホットランナブロック３は、図３に示すように、別体で形成された２つのホットランナブロック１１，１２が所定間隔Ｄを保ちつつ並設されて構成されている。一方のホットランナブロック１１には、前記したランナ１と、ランナ１に連通し溶融樹脂を供給する前記したスプル１１ａと、金型４内に溶融樹脂を射出する２つのノズル１１ｂ，１１ｃと、ランナ１を挟む一対のヒータ１１ｄ，１１ｄが設けられている。他方のホットランナブロック１２にも、前記したランナ２と、ランナ２に連通し溶融樹脂を供給する前記したスプル１２ａと、金型４内に溶融樹脂を射出する２つのノズル１２ｂ，１２ｃと、ランナ２を挟む一対のヒータ１２ｄ，１２ｄが設けられている。そして、ランナ１，２と、ランナ１，２を通過する溶融樹脂を加熱するヒータ１１ｄ，１２ｄにより、ホットランナ１，２が形成される。
【００２０】
また、分割型ホットランナブロック３の替わりに、図４に示すような一体型ホットランナブロック３３を用いることができる。一体型ホットランナブロック３３は、一体で形成されたブロック４１に、２つのホットランナ３１，３２を設けている。ブロック４１には、前記したランナ３１と、ランナ３１に連通し溶融樹脂を供給するスプル４１ａと、金型４内に溶融樹脂を射出する２つのノズル４１ｂ，４１ｃと、ランナ３１を挟む一対のヒータ４１ｄ，４１ｄが設けられている。更に、ブロック４１には、前記したランナ３２と、ランナ３２に連通し溶融樹脂を供給する前記したスプル４２ａと、金型４内に溶融樹脂を射出する２つのノズル４２ｂ，４２ｃと、ランナ３２を挟む一対のヒータ４２ｄ，４２ｄが設けられている。そして、ランナ３１，３２と、ランナ３１，３２を通過する溶融樹脂を加熱するヒータ４１ｄ，４２ｄにより、ホットランナ３１，３２が形成される。
【００２１】
また、成形色毎に専用のホットランナが設定されるので、２つのホットランナ１，２を用いる場合には、色の差の大きい２色（例えば、赤と黒）を選定すれば、色替えによる損失の削減が図れることになる。また、ホットランナブロック１１，１２を水平方向に並べてスプル１１ａ，１２ａが水平方向に位置する横置き分割型ホットランナブロック３のほか、ホットランナブロック１１，１２を垂直方向に並べてスプル１１ａ，１２ａが垂直方向に位置する縦置き分割型ホットランナブロックを用いることもできる。
【００２２】
移動手段５は、クレーン（不図示）などで構成され、図１及び図５に示すように、金型４に設けたフック４ａとクレーンのフック５ａをワイヤ５ｂで接続し、クレーンで金型４を吊り上げた状態で、金型４を移動させる。移動手段５により、分割型ホットランナブロック３に設けたスプル１１ａ，１２ａのいずれか一方を、射出ノズル６に対向する位置まで、移動させることができる。
【００２３】
位置決め手段７は、図１に示すように、金型４のフランジ縁部に形成された２箇所の切り欠き部１４，１５と、これらの切り欠き部１４，１５に嵌合する凸部１６ａを形成した位置決めブロック１６と、金型４を固定する金型固定手段（不図示）からなる。位置決めブロック１６は、基板（不図示）に固定されている。そして、凸部１６ａが一方の切り欠き部１４に嵌合すると、スプル１１ａの軸心と射出ノズル６の軸心が一致し、同様に凸部１６ａが他方の切り欠き部１５に嵌合すると、スプル１２ａの軸心と射出ノズル６の軸心が一致することになる。
【００２４】
このように、切り欠き部１４，１５のいずれか一方と凸部１６ａを形成した位置決めブロック１６により、分割型ホットランナブロック３に設けたスプル１１ａ，１２ａのいずれか一方を、射出ノズル６に対向した状態に位置決めすることができる。更に、スプル１１ａ，１２ａのいずれか一方が、射出ノズル６に対向した状態で、金型固定手段により金型４を固定することができる。
【００２５】
以上のように構成された本発明に係る射出成形ホットランナ金型の色替え装置の動作及び本発明に係る射出成形ホットランナ金型の色替え方法を、分割型ホットランナブロック３を用いた場合について説明する。例えば、成形品の色が赤から黒に変更されると、射出ノズル６を、赤の材料（溶融樹脂）を金型４内に供給していたホットランナブロック１１のスプル１１ａから、黒の材料を供給するホットランナブロック１２のスプル１２ａに差し替えなければならない。
【００２６】
先ず、射出ノズル６を、赤の材料を金型４内に供給していたホットランナブロック１１のスプル１１ａから引き抜くために後退させる。次いで、金型４に設けたフック４ａとクレーンのフック５ａをワイヤ５ｂで接続し、クレーンで金型４を垂直方向に吊り上げる。すると、金型４のフランジ縁部に形成された切り欠き部１４と位置決めブロック１６に形成された凸部１６ａとの嵌合状態が解除される。
【００２７】
次いで、図６に示すように、クレーンを駆動し、分割型ホットランナブロック３と合体している金型４を水平方向に移動させた後、更に金型４を垂直方向に下降させ、ホットランナブロック１２に設けたスプル１２ａを、射出ノズル６と対向する位置にする（金型移動工程）。
【００２８】
すると、図１に示すように、金型４のフランジ縁部に形成された切り欠き部１５と、位置決めブロック１６の凸部１６ａが嵌合状態になる。
次いで、切り欠き部１５に凸部１６ａを嵌合させた状態で、金型４を金型固定手段により固定すると、ホットランナブロック１２に設けたスプル１２ａの軸心と射出ノズル６の軸心が一致した状態で、金型４が固定されることになる（金型位置決め工程）。
【００２９】
次いで、射出ノズル６を、黒の材料を金型４内に供給するホットランナブロック１２のスプル１２ａに挿入することにより、射出成形ホットランナ金型の赤から黒への色替え作業が終了する。
【００３０】
このように、横置き分割型ホットランナブロック３と合体している金型４を水平方向及び垂直方向に移動させ、分割型ホットランナブロック３に設けたスプル１１ａ，１２ａのいずれか一方の軸心と射出ノズル６の軸心が一致するよう金型４を位置決めするだけで、金型４の色替えを行うことができ、色替え時間の短縮が図れる。
【産業上の利用可能性】
【００３１】
本発明は、ホットランナブロックと合体している金型を移動させ、ホットランナブロックに設けたスプルのいずれかの軸心と射出ノズルの軸心が一致するよう位置決めするだけで、容易に金型の色替えを行うことができるので、色替え時間の短縮に寄与する有効な金型の色替え方法及びその装置となり得る。
【図面の簡単な説明】
【００３２】
【図１】本発明に係る射出成形ホットランナ金型の色替え装置の概要正面図
【図２】本発明に係る射出成形ホットランナ金型の色替え装置の概要平断面図
【図３】分割型ホットランナブロックの正面図
【図４】一体型ホットランナブロックの正面図
【図５】分割型ホットランナブロックと合体している金型の斜視図
【図６】作用説明図
【符号の説明】
【００３３】
１，２…ランナ（ホットランナ）、３…分割型ホットランナブロック、４…金型、４ａ，５ａ…フック、５…移動手段、５ｂ…ワイヤ、６…射出ノズル、７…位置決め手段、１１，１２…ホットランナブロック、１１ａ，１２ａ…スプル、１１ｂ，１１ｃ，１２ｂ，１２ｃ…ノズル、１１ｄ，１２ｄ…ヒータ、１４，１５…切り欠き部、１６…位置決めブロック、１６ａ…凸部、３３…一体型ホットランナブロック。
【図１】
2007062085.tif 000003
【図２】
2007062085.tif 000004
【図３】
2007062085.tif 000005
【図４】
2007062085.tif 000006
【図５】
2007062085.tif 000007
【図６】
2007062085.tif 000008